(57)【要約】【課題】従来よりも高い遮光性を有するカーテン生地の提供。【解決手段】第１の布材（１１）と第２の布材（１２）と、前記第１の布材と前記第２の布材との間に配置されている遮光材（１３）と、を備えており、前記遮光材は、フィルム層（１３１）と、該フィルム層の前記第１の布材に面している一面に形成された遮光層（１３２）と、からなることを特徴とするカーテン生地を提供する。【選択図】図１
2013000215.tif 000002
【特許請求の範囲】
【請求項１】
第１の布材と第２の布材と、
前記第１の布材と前記第２の布材との間に配置されている遮光材と、
を備えており、
前記遮光材は、フィルム層と、該フィルム層のいずれか一面に形成された遮光層と、からなることを特徴とするカーテン生地。
【請求項２】
前記フィルム層はポリエチレンテレフタレートからなり、前記遮光層は金属層であって、前記フィルム層にめっき形成されているものであることを特徴とする請求項１に記載のカーテン生地。
【請求項３】
前記第１の布材及び前記第２の布材は、いずれも不織布からなることを特徴とする請求項１または請求項２に記載のカーテン生地。
【請求項４】
前記金属層は、亜鉛めっきまたはアルミニウムめっきで形成されたことを特徴とする請求項２または請求項３に記載のカーテン生地。
【発明の詳細な説明】
【技術分野】
【０００１】
本発明はカーテン生地に関し、特に、光を確実に遮蔽することができるカーテン生地に関する。
【背景技術】
【０００２】
従来のカーテン生地は、例えば特許文献１に記載されているものがある。
【０００３】
特許文献１に記載されているカーテン生地は、縦糸を使用した表地と裏地と、表地と裏地との間に黒い横糸を使用して遮光性を備えた中間層とを備えてなる織物であるので、光が縦糸と横糸との間に生じる微細な孔を通過しやすく、遮光性が十分でないことは明らかである。
【先行技術文献】
【特許文献】
【０００４】
【特許文献１】特開２００４−１３６０４１号明細書
【発明の概要】
【発明が解決しようとする課題】
【０００５】
本発明は上記問題点に鑑みて、従来よりも高い遮光性を有するカーテン生地の提供を目的とする。
【課題を解決するための手段】
【０００６】
上記目的を達成すべく、本発明は、第１の布材と、第２の布材と、前記第１の布材と前記第２の布材との間に配置されている遮光材と、を備えており、前記遮光材は、フィルム層と、該フィルム層のいずれか一面に形成された遮光層と、からなっていることを特徴とするカーテン生地を提供する。
【０００７】
上記カーテン生地において、前記フィルム層はポリエチレンテレフタレートからなり、前記遮光層は金属層であって前記フィルム層にめっき形成されているものであることが好ましい。
【０００８】
上記カーテン生地において、前記第１の布材及び前記第２の布材には、不織布を使用することもできる。
【０００９】
上記カーテン生地において、前記金属層は、亜鉛めっきまたはアルミニウムめっきによって形成されることが好ましい。
【発明の効果】
【００１０】
上記構成により、本発明は第１の布材と第２の布材との間に遮光材が配置されているので、織物からなる布材にいくら微細な孔があっても、光は遮光材により遮蔽されるので、従来よりも高い遮光性を有する上、従来と同じ手触りを持つカーテン生地を提供することができる。
【図面の簡単な説明】
【００１１】
【図１】本発明のカーテン生地の構成が示される一部拡大分解図である。
【図２】本発明のカーテン生地が適用されるプリーツカーテンの構成が示される分解図である。
【図３】本発明のカーテン生地の構成が示される一部拡大断面図である。
【発明を実施するための形態】
【００１２】
図１〜図３に示されているように、本発明のカーテン生地１はプリーツカーテン２に適用することができる。図２に示されているプリーツカーテン２は、ケース体２１と、ケース体２１から離れることができるように構成されている可動プレート２２と、ケース体２１と可動プレート２２とを繋ぐ引き紐２３とを備えており、本発明のカーテン生地１は両端がそれぞれケース体２１と可動プレート２２とに固定され、且つ引き紐２３により貫通されるように折り畳まれている。この構成により、可動プレート２２がケース体２１から離れると、本発明のカーテン生地１は展開される。このプリーツカーテン２は本発明のカーテン生地の適用例に過ぎず、本発明のカーテン生地は、例えばロールカーテンやたくし上げカーテンなど、遮光効果が必要とされる布材にすべて適用されることができる。ちなみに本発明の特徴はこのプリーツカーテン２とは何の関係もないので、このプリーツカーテン２に関する詳しい説明は省略する。
【００１３】
本発明のカーテン生地１は、第１の布材１１と第２の布材１２と、第１の布材１２と第２の布材１２との間に配置されている遮光材１３とを備えており、遮光材１３は、フィルム層１３１と、該フィルム層１３１のいずれか一面に形成されている遮光層１３２とからなるものである。
【００１４】
第１の布材１１及び第２の布材１２には、縦糸と横糸とからなる織物、または不織布を使用することができる。その表面に図柄をプリントすることができ、そして織物を使用する場合においては、縦糸と横糸との色を用いて図柄を作り出すこともできるため、上品な質感を提供できる。この実施形態において、第１の布材１１及び第２の布材１２はコストダウンの観点から不織布を使用している。
【００１５】
フィルム層１３１に関して、可撓性を有する樹脂材料であればその材料について特に制限はない。遮光層１３２に関しても光を遮蔽できる材料であれば特に制限はないが、亜鉛めっきまたはアルミニウムめっきなどの金属層を使用することが好ましい。また、フィルム層１３１の両面にそれぞれ遮光層１３２を形成することもできる。また、この実施形態において、遮光層１３２はフィルム層１３１の第１の布材１１に面している一面に形成されている。
【００１６】
この実施形態において、フィルム層１３１にはポリエチレンテレフタレート（ＰＥＴ）が使用され、そして遮光層１３２はフィルム層１３１の一面に亜鉛めっきで形成された金属層である。
【００１７】
本発明のカーテン生地１の製造法に関しては、まずはフィルム層１３１の一面に遮光層１３２をめっき形成して遮光材１３として作成してから、同じサイズの第１の布材１１と第２の布材１２との間に入れて結合または接着させることにより製造することができる。
上記説明では本発明の好適な実施形態について説明したが、本発明は前記実施形態に限定して狭義に解釈されるものではなく、即ち本発明の精神の範囲内において種々の変形や変更が可能である。
【産業上の利用可能性】
【００１８】
上記構成により、本発明のカーテン生地１はフィルム層１３１に可撓性を有する樹脂材料を使用するので、カーテン生地１の折り畳みや展開作業がフィルム層１３１の物理特性に妨げられることはない。また、本発明のカーテン生地１が展開される際、その表裏両面はすべて織物または不織布の手触りになっている上、第１の布材１１と第２の布材１２とに微細な孔があっても、金属材料を使用する遮光層１３２光を確実に遮蔽することができる。更に、金属材料を使用する遮光層１３２は、電波を遮蔽する効果も備えている。
【００１９】
したがって、本発明のカーテン生地１は例えばロールカーテンやたくし上げカーテン、またはプリーツカーテンなど、遮光効果が必要される布材にすべて適用することができる。
【符号の説明】
【００２０】
１      カーテン生地
１１    第１の布材
１２    第２の布材
１３    遮光材
１３１  フィルム層
１３２  遮光層
２      プリーツカーテン
２１    ケース体
２２    可動プレート
２３    引き紐
【図１】
2013000215.tif 000003
【図２】
2013000215.tif 000004
【図３】
2013000215.tif 000005